(57)【要約】【課題】コンパクトに構成されて、収納時の容積充填効率が高く、それによって保管効率や輸送効率を高くでき、しかも、ボルト、ナットや接続金具等を用いることなく、また、ねじを形成することなく簡単に組立て可能で、剛性を有するテーブルセットを提供する。【解決手段】使用時には、上側に上下方向に第１、第２の切れ目２４、２５が形成されて対向して配置される第１、第２の脚板１１、１２と、第１、第２の切れ目２４、２５にそれぞれ互いに噛み合う第３、第４の切れ目２６、２７が下側に上下方向に形成された第１、第２の連結板１３、１４とが組み合わされた脚部１５に、天井板１６及び側板３６〜３９を有する箱型の甲板部１７が載置されてテーブル１０ａが組立られ、収納時には、第１、第２の脚板１１、１２及び第１、第２の連結板１３、１４が甲板部１７内の天井板１６上に積層される。【選択図】        図３
2004222920.tif 000002
【特許請求の範囲】
【請求項１】
（１）上側に水平方向の間隔を開けて上下方向に第１、第２の切れ目がそれぞれ形成されて対向して配置される対となる第１、第２の脚板と、
（２）前記第１、第２の切れ目にそれぞれ互いに噛み合う第３、第４の切れ目が下側に水平方向の間隔を開けて上下方向に形成された対となる第１、第２の連結板と、
（３）矩形状の天井板及び該天井板の４辺に垂直に設けられた側板を有して箱型に形成された甲板部とを有し、
使用時には、前記第１、第２の脚板と前記第１、第２の連結板とが平面視して井桁状に組み合わされ、しかも、前記第１、第２の連結板の上端面と前記第１、第２の脚板の上端面とが同一レベルとなるように構成された脚部に、前記甲板部の天井板が載置されてテーブルが組み立てられ、
収納時には、前記第１、第２の脚板及び前記第１、第２の連結板が前記甲板部内の前記天井板上に板厚方向に積層されることを特徴とするテーブルセット。
【請求項２】
請求項１記載のテーブルセットにおいて、（４）それぞれ上側、下側に互いに噛み合う第５、第６の切れ目が上下方向に形成された対となる第３、第４の脚板と、
（５）矩形状の天井板及び該天井板の４辺に垂直に設けられた側板を有して箱型に形成された座板部とを有し、
使用時には、前記第３、第４の脚板が平面視して交差して組み合わされ、しかも、前記第３、第４の脚板の上端面が同一レベルとなるように構成された椅子用脚部に、前記座板部の天井板が載置されて椅子が組み立てられ、
収納時には、前記第３、第４の脚板及び前記座板部が前記甲板部内に板厚方向に積層されることを特徴とするテーブルセット。
【請求項３】
請求項２記載のテーブルセットにおいて、収納時には、前記第３、第４の脚板が前記座板部の内側の前記天井板上に板厚方向に積層されることを特徴とするテーブルセット。
【請求項４】
請求項２及び３のいずれか１項に記載のテーブルセットにおいて、前記座板部の内側の前記天井板上の長さ方向両端部には、使用時に、前記天井板が載置される前記椅子用脚部が水平方向にずれるのを防止すると共に、前記座板部を補強する対となる補強板が設けられていることを特徴とするテーブルセット。
【発明の詳細な説明】
【０００１】
【発明の属する技術分野】
本発明は、コンパクトに収納可能で、しかも、簡単に組立て可能なテーブルセットに関する。
【０００２】
【従来の技術】
従来、食事、応接や会議などに使用する台形の家具（脚物家具）の一例であるテーブル及び椅子は、複数本の脚と脚の上端部に設けられた甲板又は座面とを有して構成されている。また、テーブルや椅子の収納及び搬送を考慮した場合には、甲板（座面）と各脚とがボルト、ナットや接続金具等を用いて組立て、分解したり、又は、ねじ締結機構、即ち、甲板の下部の所定の複数箇所に雌ねじ部を形成し、この雌ねじ部に螺合する雄ねじ部を各脚の先端部に形成して組立て、分解できる構造となっている。
【０００３】
【発明が解決しようとする課題】
しかしながら、前記従来のテーブル等においては、未だ解決すべき以下のような問題があった。
甲板と各脚とが組立て可能なテーブルにおいては、保管（収納）時や搬送時には、例えば、甲板と各脚とは別々にシート状の軟質材（例えば、紙、ビニール、発泡スチロール）により梱包され、別々に梱包された甲板と各脚とを更にダンボール等で梱包していたので、保管時や搬送時に大きなスペースを必要とし、特に、工場で製作、梱包した大量のテーブルを保管したり、それらをトラック等で輸送する場合には、保管効率や輸送効率が悪かった。即ち、ダンボール等で梱包した場合の容積充填率が低かった。
また、甲板と各脚とは接続金具を用いてねじ締結機構によって接合して組立てているので、ボルト、ナットや接続金具等を紛失する恐れがあった。また、甲板に雌ねじ部を、また、各脚に雄ねじ部を形成するのに手間を要した。
【０００４】
本発明はこのような事情に鑑みてなされたもので、コンパクトに構成されて、収納時の容積充填効率が高く、それによって保管効率や輸送効率を高くでき、しかも、ボルト、ナットや接続金具等を用いることなく、また、ねじを形成することなく組立て可能で、剛性を有するテーブルセットを提供することを目的とする。
【０００５】
【課題を解決するための手段】
前記目的に沿う本発明に係るテーブルセットは、（１）上側に水平方向の間隔を開けて上下方向に第１、第２の切れ目がそれぞれ形成されて対向して配置される対となる第１、第２の脚板と、（２）第１、第２の切れ目にそれぞれ互いに噛み合う第３、第４の切れ目が下側に水平方向の間隔を開けて上下方向に形成された対となる第１、第２の連結板と、（３）矩形状の天井板及び天井板の４辺に垂直に設けられた側板を有して箱型に形成された甲板部とを有し、使用時には、第１、第２の脚板と第１、第２の連結板とが平面視して井桁状に組み合わされ、しかも、第１、第２の連結板の上端面と第１、第２の脚板の上端面とが同一レベルとなるように構成された脚部に、甲板部の天井板が載置されてテーブルが組み立てられ、収納時には、第１、第２の脚板及び第１、第２の連結板が甲板部内の天井板上に板厚方向に積層される。これによって、ボルト、ナットや接続金具等を用いることなく、また、ねじを形成することなく組立て可能で、剛性を有するテーブルをコンパクトに収納できる。
【０００６】
本発明に係るテーブルセットにおいて、（４）それぞれ上側、下側に互いに噛み合う第５、第６の切れ目が上下方向に形成された対となる第３、第４の脚板と、（５）矩形状の天井板及び天井板の４辺に垂直に設けられた側板を有して箱型に形成された座板部とを有し、使用時には、第３、第４の脚板が平面視して交差して組み合わされ、しかも、第３、第４の脚板の上端面が同一レベルとなるように構成された椅子用脚部に、座板部の天井板が載置されて椅子が組み立てられ、収納時には、第３、第４の脚板及び座板部が甲板部内に板厚方向に積層されるように構成することもできる。これによって、椅子をテーブルとセットで使用することができ、しかも、椅子をコンパクトに収納できる。
【０００７】
本発明に係るテーブルセットにおいて、収納時には、第３、第４の脚板が座板部の内側の天井板上に板厚方向に積層されるように構成することもできる。これによって、椅子をよりコンパクトに収納できる。
本発明に係るテーブルセットにおいて、座板部の内側の天井板上の長さ方向両端部には、使用時に、天井板が載置される椅子用脚部が水平方向にずれるのを防止すると共に、座板部を補強する対となる補強板を設けることもできる。これによって、椅子の安定性が向上でき、また、椅子の強度も向上する。
【０００８】
【発明の実施の形態】
続いて、添付した図面を参照しつつ、本発明を具体化した実施の形態につき説明し、本発明の理解に供する。
ここに、図１は本発明の一実施の形態に係るテーブルセットのテーブルの組立を説明する斜視図、図２は同テーブルセットの椅子の組立を説明する斜視図、図３は同テーブルセットの分解及び収納要領を説明する斜視図、図４は同テーブルセットの椅子の収納状態を説明する斜視図、図５は同テーブルセットの収納状態を説明する斜視図、図６は同テーブルセットの椅子の分解斜視詳細図、図７は同テーブルセットのテーブルの分解斜視詳細図である。
【０００９】
図１〜図７に示すように、本発明の一実施の形態に係るテーブルセット１０は、テーブル１０ａと椅子２３を有しており、図１、図３及び図７に示すように、テーブル１０ａは、対向して水平方向に平行間隔Ｈを開けて配置される矩形状の第１、第２の脚板１１、１２及び第１、第２の脚板１１、１２の上側同士を連結し、対向して水平方向に平行間隔ｈを開けて配置される矩形状の第１、第２の連結板１３、１４とを備えて床面Ｆ上に載置される脚部１５と、脚部１５の上端面に載置され、しかも脚部１５の上端部を覆い、矩形状の天井板１６及び側板３６〜３９を備え、箱型に形成された甲板部１７とを有している。
【００１０】
さらに、図２〜図４及び図６に示すように、テーブルセット１０の椅子２３は、略矩形状の第３、第４の脚板１８、１９が水平方向の中央部が平面視して直交して接合された椅子用脚部２０と、椅子用脚部２０の上端面に載置され、しかも椅子用脚部２０の上端部を覆い、矩形状の天井板２１及び側板４６〜４９を備え、箱型に形成された座板部２２とを有している。また、図５に示すように、甲板部１７の内側に収納可能に構成されている。以下、これらについて詳しく説明する。なお、天井板１６の長さ方向をＸ方向、天井板１６の幅方向をＹ方向、Ｘ方向及びＹ方向に直交する方向をＺ方向と定義する。
【００１１】
図１、図３及び図７に示すように、第１、第２の脚板１１、１２は、同一サイズで同一形状であって、それぞれ板厚ｔ１  、長さＸ１  、幅Ｙ１  であり、上側に水平方向に中心間隔Ｔを開けて幅ｂ１  、長さｄ１  の上下方向のスリット状の第１、第２の切れ目２４、２５が形成されている。
第１、第２の連結板１３、１４も同一サイズで同一形状であって、それぞれ板厚ｔ２  、長さＸ２  、幅Ｙ２  であり、下側に水平方向に中心間隔Ｋを開けて幅ｂ２  、長さｄ２  の上下方向のスリット状の第３、第４の切れ目２６、２７が形成されている。第１、第２の脚板１１、１２の第１、第２の切れ目２４、２５と、第１、第２の連結板１３、１４の第３、第４の切れ目２６、２７とは互いに噛み合うように構成されおり、これにより、平面視して井桁状に組み合わされた脚部１５が構成される。
【００１２】
第１、第２の脚板１１、１２の第１、第２の切れ目２４、２５と第１、第２の連結板１３、１４の第３、第４の切れ目２６、２７がそれぞれ、第１、第２の連結板１３、１４の第３、第４の切れ目２６、２７の長手方向の延長部２８、２９（長さｄ１  ）と、第１、第２の脚板１１、１２の第１、第２の切れ目２４、２５の長手方向の延長部３０、３１（長さｄ２  ）に掛合すると共に、図１に示すように、脚部１５に組み立てられた状態では、第１、第２の脚板１１、１２の上端面３２、３３と、第１、第２の連結板１３、１４の上端面３４、３５とは同一レベルとなるように構成している。従って、ｂ１  ＞ｔ２  、ｂ２  ＞ｔ１  、ｄ１  ＝Ｙ２  −ｄ２  が成立する。
【００１３】
図１、図３及び図７に示すように、テーブル１０ａを構成する甲板部１７は、板厚ｔ３  、長さＸ３  、幅Ｙ３  の矩形状の天井板１６と、天井板１６の４辺に板面に対して垂直に接着剤等により設けられた長尺矩形状の４枚の側板３６〜３９（３６と３８は同一サイズで同一形状、３７と３９は同一サイズで同一形状）とを備えている。側板３６〜３９は板厚ｔ４  であって、側板３６、３８は長さＸ３  、幅Ｙ４  、であり、一方、側板３７、３９は長さＹ３  、幅Ｙ４  となっている。なお、側板３６〜３９の隣り合う接続部は、平面視して４５°の面取りが施されており、面同士が当接して接着剤等により連結されている。テーブル１０ａの甲板部１７の天井板１６は、図１に示す使用状態では、上にあり、図３に示す保管（収納）状態では、下に位置することになる。
【００１４】
図７に示す甲板部１７の内側寸法においては、長さは（Ｘ３  −２ｔ４  ）、幅は（Ｙ３  −２ｔ４  ）、高さはＹ４  となっている。なお、第１、第２の脚板１１、１２及び第１、第２の連結板１３、１４は、図３及び図７に示す状態で、図５に示すように、甲板部１７の内側の天井板１６上に板厚方向に積層されて、収納されるようになっており、従って、Ｘ１  、Ｘ２  ＜（Ｘ３  −２ｔ４  ）で、Ｙ１  、（２Ｙ２  ＋α）＜（Ｙ３  −２ｔ４  ）で、（ｔ２  ＋２ｔ１  ）＜Ｙ４  を満足している。ただし、αは、収納時の第１、第２の連結板１３、１４のＹ方向の間隔を表している。
【００１５】
図２及び図６に示すように、椅子２３の椅子用脚部２０を構成する第３、第４の脚板１８、１９は同一サイズであって、板厚ｔ６  、長さＸ４  （組立時の水平方向）、幅Ｙ５  （組立時の垂直方向）で、それぞれ床面Ｆに接する２つの接地部１８ａ、１８ｂ、接地部１９ａ、１９ｂを長さ方向の両側に有するように、中央下端部が円弧状に切り欠かれており、長さ方向中央部の幅はＬ（上端面４４、４５から切り欠きの上端までの垂直距離）となっている。第４の脚板１９の上側には、長さ方向の中心位置に、幅ｂ３  、長さｄ３  のスリット状の第６の切れ目４０が垂直方向（組立時）に形成されており、一方、第３の脚板１８の下側には、長さ方向の中心位置に、第６の切れ目４０に噛み合う幅ｂ４  、長さｄ４  のスリット状の第５の切れ目４１が垂直方向に形成されている。
【００１６】
第４の脚板１９の第６の切れ目４０と、第３の脚板１８の第５の切れ目４１がそれぞれ、第３の脚板１８の第５の切れ目４１の長手方向の延長部４２（長さｄ３  ）と、第４の脚板１９の第６の切れ目４０の長手方向の延長部４３（長さ（Ｌ−ｄ４  ））に掛合して、図２に示すように、平面視して直交で交差して組み合わされると共に、椅子用脚部２０に組み立てられた状態では、第３、第４の脚板１８、１９の上端面４４、４５は同一レベルとなるように構成されている。従って、ｂ３  ＞ｔ６  、ｄ３  ＝Ｌ−ｄ４  が成立する。
【００１７】
図２〜図４及び図６に示すように、椅子２３の座板部２２は、板厚ｔ７  、長さＸ５  、幅Ｙ６  の矩形状の天井板２１と、天井板２１の４辺に板面に対して垂直に接着剤等により設けられた長尺矩形状の４枚の側板４６〜４９（４６と４８は同一サイズで同一形状、４７と４９は同一サイズで同一形状）と、側板４７、４９の内面及び側板４６、４８の長さ方向の両端部の内面に当接し、しかも、天井板２１の裏面に当接して接着剤等により設けられた２枚の矩形状の補強板５０、５１とを備えている。側板４６〜４９は板厚ｔ８  であり、側板４６、４８は長さＸ５  、幅Ｙ７  、側板４７、４９は長さＹ６  、幅Ｙ７  となっており、さらに、補強板５０、５１は板厚ｔ９  、長さＹ９  、幅Ｙ８  である。側板４６〜４９の隣り合う接続部は、甲板部１７と同様、平面視して４５°の面取りが施されて接着剤等により連結されている。
【００１８】
椅子２３を構成する座板部２２の天井板２１は、図２に示す使用状態では、上にあり、図３及び図４に示す保管状態では、下に位置することになる。
図４及び図６に示す座板部２２の内側寸法においては、補強板５０、５１間距離は（Ｘ５  −２ｔ８  −２Ｙ８  ）、側板４７、４９間距離は（Ｘ５  −２ｔ８  ）、側板４６、４８間距離は（Ｙ６  −２ｔ８  ）、天井板２１上の高さはＹ７  、補強板５０、５１上の高さは（Ｙ７  −ｔ９  ）となっている。
【００１９】
なお、図２に示すように、使用時には、椅子用脚部２０の第３、第４の脚板１８、１９の上端面４４、４５が座板部２２の天井板２１の裏面に当接し、第３、第４の脚板１８、１９の座板部２２に対する移動が補強板５０、５１によってガイドされており、これにより、座板部２２が水平方向にずれるのを防止することができると共に、椅子用脚部２０が座板部２２の中心部を支持する構造となっている。
【００２０】
また、図４に示すように、２枚の第３、第４の脚板１８、１９は、天井板２１を底板として箱状に配置された座板部２２の内側に収納可能とするため、図６に示すように、Ｘ４  ＜（Ｘ５  −２ｔ８  ）、Ｙ５  ＜（Ｙ６  −２ｔ８  ）、２ｔ６  ＜（Ｙ７  −ｔ９  ）を満たすように設定されている。また、図４に示すように、座板部２２の収納時上端面２２ａと第４の脚板１９の収納時上端面１９ｃ（第４の脚板１９は第３の脚板１８上に積層されている）とは略同じレベルになっている。さらに、図５に示すように、第３、第４の脚板１８、１９が収納された座板部２２自身も、甲板部１７内に積層されて収納可能とするため、図３及び図７に示すように、Ｘ５  ＜（Ｘ３  −２ｔ４  ）、Ｙ６  ＜（Ｙ３  −２ｔ４  ）、かつ、（ｔ２  ＋２ｔ１  ＋ｔ７  ＋Ｙ７  ）＜Ｙ４  を満たしている。
【００２１】
次いで、本発明の一実施の形態に係るテーブルセット１０の使用方法及び作用について、図を参照しながら説明する。なお、図３〜図５に示すように、テーブルセット１０の収納時には、テーブル１０ａを構成する甲板部１７の内側の天井板１６上に、下から順番に、一対の第１、第２の連結板１３、１４、２枚の第１、第２の脚板１１、１２、椅子２３を構成する座板部２２、第３、第４の脚板１８、１９が板厚方向に積層されて収納されており、しかも、２枚の第３、第４の脚板１８、１９も、天井板２１を底板として箱状に配置された座板部２２の内側に収納されている。この状態で、甲板部１７の収納時上端面１７ａと座板部２２の収納時上端面２２ａとは、略同じレベルになるように構成されている。
【００２２】
（組立）
（１）図４及び図５に示すように、テーブル１０ａ用の甲板部１７の内側に収納された各部品１３、１４、１１、１２、２２、１８、１９を、図３に示すように、甲板部１７の外部に取り出す。
（２）図１に示すように、対向させて垂直に配置された第１、第２の脚板１１、１２の上部を第１、第２の連結板１３、１４を介して井桁状に接合して脚部１５を構成した後、脚部１５の上端面３２〜３５に天井板１６を上にした甲板部１７を載置して、テーブル１０ａを組み立てる。
【００２３】
（３）図２に示すように、第３、第４の脚板１８、１９を平面視して十字状に接合して椅子用脚部２０を構成した後、椅子用脚部２０の上端面４４、４５に天井板２１を上にした座板部２２を載置して、椅子２３を組み立てる。
（４）テーブル１０ａを所定の場所に設置した後、テーブル１０ａの設置位置に応じて椅子２３を配置する。
なお、前記（２）、（３）は順序を逆にすることもできる。
【００２４】
（分解及び収納）
（５）組み立てられたテーブル１０ａについては、図１に示すように、甲板部１７を脚部１５から分離した後、図３に示すように、甲板部１７を、天井板１６を底部にして所定の場所に配置し、脚部１５を２枚の第１、第２の脚板１１、１２と一対の第１、第２の連結板１３、１４とに分解する。
（６）図３及び図５に示すように、甲板部１７の内側の天井板１６上に、下から順番に、一対の第１、第２の連結板１３、１４、２枚の第１、第２の脚板１１、１２を積層して、図５に示すように、甲板部１７の内側に収納する。
【００２５】
（７）組み立てられた椅子２３については、図２に示すように、座板部２２を椅子用脚部２０から分離した後、図３に示すように、椅子用脚部２０を２枚の第３、第４の脚板１８、１９に分解する。
（８）甲板部１７内の第１の脚板１１上に、天井板２１を下にした座板部２２を積層し、さらに、座板部２２内に第３、第４の脚板１８、１９を収納する。
【００２６】
【実施例】
材料として合板材を使用し、各部品や各加工部を以下に示す寸法に設定して、実際にテーブルセット１０を製作した。
１）テーブル１０ａ
１−１）脚部１５
１−１−１）第１、第２の脚板１１、１２
ｔ１  ＝１１ｍｍ、Ｘ１  ＝３４９ｍｍ、Ｙ１  ＝２７８ｍｍ、ｂ１  ＝１０ｍｍ、ｄ１  ＝６４ｍｍ、Ｔ＝１０８ｍｍ
１−１−２）第１、第２の連結板１３、１４
ｔ２  ＝８ｍｍ、Ｘ２  ＝４２９ｍｍ、Ｙ２  ＝１３０ｍｍ、ｂ２  ＝１２ｍｍ、ｄ２  ＝６６ｍｍ、Ｋ＝３５７ｍｍ
【００２７】
１−２）甲板部１７
１−２−１）天井板１６
ｔ３  ＝８ｍｍ、Ｘ３  ＝４５０ｍｍ、Ｙ３  ＝２９８ｍｍ
１−２−２）側板３６、３８
ｔ４  ＝８ｍｍ、Ｘ３  ＝４５０ｍｍ、Ｙ４  ＝７７ｍｍ
１−２−３）側板３７、３９
ｔ４  ＝８ｍｍ、Ｙ３  ＝２９８ｍｍ、Ｙ４  ＝７７ｍｍ
【００２８】
２）椅子２３
２−１）椅子用脚部２０
２−１−１）第３の脚板１８
ｔ６  ＝１０ｍｍ、Ｘ４  ＝３３９ｍｍ、Ｙ５  ＝２５６ｍｍ、Ｌ＝２１９ｍｍ、ｂ３  ＝１２ｍｍ、ｄ４  ＝９１ｍｍ
２−１−２）第４の脚板１９
ｔ６  ＝１０ｍｍ、Ｘ４  ＝３３９ｍｍ、Ｙ５  ＝２５６ｍｍ、Ｌ＝２１９ｍｍ、ｂ３  ＝１２ｍｍ、ｄ３  ＝１２８ｍｍ
【００２９】
２−２）座板部２２
２−２−１）天井板２１
ｔ７  ＝８ｍｍ、Ｘ５  ＝３５９ｍｍ、Ｙ６  ＝２７９ｍｍ
２−２−２）側板４６、４８
ｔ８  ＝９ｍｍ、Ｘ５  ＝３５９ｍｍ、Ｙ７  ＝３５ｍｍ
２−２−３）側板４７、４９
ｔ８  ＝９ｍｍ、Ｙ６  ＝２７９ｍｍ、Ｙ７  ＝３５ｍｍ
２−２−４）補強板５０、５１
ｔ９  ＝１２ｍｍ、Ｙ８  ＝５２ｍｍ、Ｙ９  ＝２６１ｍｍ
【００３０】
図４に示すように、座板部２２の内側に第３、第４の脚板１８、１９を収納時の積層厚さは、２ｔ６  ＝２０ｍｍ＜（Ｙ７  −ｔ９  ）（＝２３ｍｍ）となる。
また、図５に示すように、甲板部１７の内側に収納時の積層厚さＳは以下の通りとなる。
Ｓ＝ｔ２  ＋２ｔ１  ＋ｔ７  ＋Ｙ７  ＝７３ｍｍ＜Ｙ４  （＝７７ｍｍ）
【００３１】
図１において、甲板部１７を脚部１５に載置した場合のテーブル１０ａの組立サイズは、幅２９８ｍｍ（＝Ｙ３  ）、長さ４５０ｍｍ（＝Ｘ３  ）、高さ３５７ｍｍ（Ｘ１  ＋ｔ３  ＝３４９ｍｍ＋８ｍｍ）となる。
また、図２において、座板部２２を椅子用脚部２０に載置した場合の椅子２３の組立サイズは、幅２７９ｍｍ（＝Ｙ６  ）、長さ３５９ｍｍ（＝Ｘ５  ）、高さ２６４ｍｍ（Ｙ５  ＋ｔ７  ＝２５６ｍｍ＋８ｍｍ）となる。
【００３２】
本発明は前記した実施の形態に限定されるものではなく、本発明の要旨を変更しない範囲での変更は可能であり、例えば、前記したそれぞれの実施の形態や変形例の一部又は全部を組み合わせて本発明のテーブルセットを構成する場合にも本発明の権利は含まれる。
前記実施の形態においては、椅子２３を設けたが、これに限定されず、必要に応じて、椅子を省略して、テーブルのみとすることもでき、それに応じて、甲板部の側板の幅を小さくすることもできる。
【００３３】
脚部１５を第１、第２の脚板１１、１２及び第１、第２の連結板１３、１４の接合により形成したが、これに限定されず、状況に応じて、例えば、脚部の剛性を増すために、他の脚板を追加して用い、かつ、他の脚板も甲板部内に収納可能に構成することもできる。
第３、第４の脚板１８、１９を平面視して直角に交差させて噛み合わせたが、これに限定されず、必要に応じて、直角以外の角度で交差させて噛み合わせることもできる。
【００３４】
第３、第４の脚板１８、１９の下端部の両側にそれぞれ接地部１８ａ、１８ｂ、接地部１９ａ、１９ｂを設けたが、これに限定されず、必要に応じて、下端部全体を接地部とすることもできる。
座板部２２に、椅子用脚部２０の位置ずれ防止及び剛性アップのために、補強板５０、５１を設けたが、これに限定されず、状況に応じて、補強板を省略することもでき、また、その他の構造により位置ずれを防止したり、また、板厚をアップすることにより剛性アップすることもできる。
【００３５】
各部品の板厚、長さ、幅、また、切り目の幅や長さ等は実施例のものに限定されず、必要及び状況に応じて、適宜、決定することができる。
各部品をそのままの状態で収納したが、これに限定されず、各部品をそれぞれ、紙等の軟質材により梱包して収納することができ、梱包によるサイズのアップや製作寸法誤差等を考慮して各部品等の寸法を決定することができる。
材料として合板材を使用したが、これに限定されず、必要に応じて、プラスチック、ダンボール、木材等を使用することもできる。
【００３６】
【発明の効果】
請求項１〜４記載のテーブルセットにおいては、ボルト、ナットや接続金具等を用いたり、ねじを形成することなく、かつ簡単に組立て可能で、剛性を有するテーブルをコンパクトに収納することができるので、収納時の容積充填効率が高く、それによって保管効率や輸送効率を高くできるため、保管費用や輸送費用が軽減できる。
特に、請求項２記載のテーブルセットにおいては、椅子をテーブルとセットで使用することができ、しかも、椅子をコンパクトに収納できるので、使い勝手がよくなる。
【００３７】
請求項３記載のテーブルセットにおいては、椅子をよりコンパクトに収納できるので、保管費用や輸送費用がさらに軽減できると共に、使い勝手がさらによくなる。
請求項４記載のテーブルセットにおいては、椅子の安定性が向上でき、これにより安全であり、また、椅子の強度も向上するので、耐用性が向上する。
【図面の簡単な説明】
【図１】本発明の一実施の形態に係るテーブルセットのテーブルの組立を説明する斜視図である。
【図２】同テーブルセットの椅子の組立を説明する斜視図である。
【図３】同テーブルセットの分解及び収納要領を説明する斜視図である。
【図４】同テーブルセットの椅子の収納状態を説明する斜視図である。
【図５】同テーブルセットの収納状態を説明する斜視図である。
【図６】同テーブルセットの椅子の分解斜視詳細図である。
【図７】同テーブルセットのテーブルの分解斜視詳細図である。
【符号の説明】
１０：テーブルセット、１０ａ：テーブル、１１：第１の脚板、１２：第２の脚板、１３：第１の連結板、１４：第２の連結板、１５：脚部、１６：天井板、１７：甲板部、１７ａ：収納時上端面、１８：第３の脚板、１８ａ、１８ｂ：接地部、１９：第４の脚板、１９ａ、１９ｂ：接地部、１９ｃ：収納時上端面、２０：椅子用脚部、２１：天井板、２２：座板部、２２ａ：収納時上端面、２３：椅子、２４：第１の切れ目、２５：第２の切れ目、２６：第３の切れ目、２７：第４の切れ目、２８、２９：延長部、３０、３１：延長部、３２、３３：上端面、３４、３５：上端面、３６〜３９：側板、４０：第６の切れ目、４１：第５の切れ目、４２：延長部、４３：延長部、４４、４５：上端面、４６〜４９：側板、５０、５１：補強板
【図１】
2004222920.tif 000003
【図２】
2004222920.tif 000004
【図３】
2004222920.tif 000005
【図４】
2004222920.tif 000006
【図５】
2004222920.tif 000007
【図６】
2004222920.tif 000008
【図７】
2004222920.tif 000009